(57)【要約】【課題】サムターン回しを防止できる新規な扉錠を提供する。【解決手段】錠ケース５内に設けられたカム６の作動によりデッドボルト７を施錠位置または解錠位置に移動させるようにした扉錠１の前記カム６を作動させる室内側作動部材８を、前記錠ケース５から離れた任意の位置に設置したサムターン９により伝達機構１０を介して作動させるようにした。【選択図】      図２
2004176257.tif 000002
【特許請求の範囲】
【請求項１】
錠ケース内に設けられたカムの作動によりデッドボルトを施錠位置または解錠位置に移動させるようにした扉錠の前記カムを作動させる室内側作動部材を、前記錠ケースから離れた任意の位置に設置したサムターンにより伝達機構を介して作動させるようにしたことを特徴とする扉錠。
【請求項２】
前記室内側作動部材およびサムターンがそれぞれピニオンを有し、前記伝達機構が、前記２つのピニオンと噛み合うスライド自在なラックを備えている請求項１に記載の扉錠。
【請求項３】
前記伝達機構が、外管内にインナーワイヤーをスライド可能に収容してなるフレキシブルコードからなる請求項１に記載の扉錠。
【発明の詳細な説明】
【０００１】
【発明の属する技術分野】
本発明は、例えば、玄関などに設置される扉に用いられる扉錠に関する。
【０００２】
【従来の技術】
ヒンジ部材２，２などにより一端側が扉枠３に回動可能に接続された開閉式の扉Ｄに設置される従来の扉錠１は、図９および図１０に示すように、錠ケース５内に設けられたカム（図示せず）の作動によりデッドボルト７を施錠位置または解錠位置に移動させるようにしてあるとともに、前記カムを作動させるためのシリンダ１１およびサムターン９をそれぞれカムに直接連結してある。
【０００３】
上記の構成からなる扉錠では、室外側からは前記シリンダ１１に設けられた鍵穴１１ａに鍵１２を挿入して回動操作することによって（図１参照）、また、室内側からは前記サムターン９をその軸まわりに回動操作することによって、前記デッドボルト７を施錠位置または解錠位置に移動させ、扉の施解錠を行える。
【０００４】
【発明が解決しようとする課題】
しかし、近年、扉Ｄの表（外）側から、ドリルを用いたり、あるいは扉Ｄのドアスコープ（図示せず）を外したりすることなどによって扉Ｄに穴を開け、その穴から扉Ｄの裏（内）側へと工具を進入させ、その工具を用いて扉の裏（内）側にあるサムターン９を不正に操作するといういわゆるサムターン回しと呼ばれる犯罪が多発しており、上記の構成からなる従来の扉錠では、上記のようにして行われる犯罪（サムターン回し）を防止できなかった。
【０００５】
本発明は上述の事柄に留意してなされたもので、その目的は、サムターン回しを防止できる新規な扉錠を提供することである。
【０００６】
【課題を解決するための手段】
上記目的を達成するために、本発明の扉錠は、錠ケース内に設けられたカムの作動によりデッドボルトを施錠位置または解錠位置に移動させるようにした扉錠の前記カムを作動させる室内側作動部材を、前記錠ケースから離れた任意の位置に設置したサムターンにより伝達機構を介して作動させるようにした（請求項１）。
【０００７】
また、前記室内側作動部材およびサムターンがそれぞれピニオンを有し、前記伝達機構が、前記２つのピニオンと噛み合うスライド自在なラックを備えているとしてもよい（請求項２）。
【０００８】
さらに、前記伝達機構が、外管内にインナーワイヤーをスライド可能に収容してなるフレキシブルコードからなるとしてもよい（請求項３）。
【０００９】
上記の構成により、サムターン回しを防止できる新規な扉錠を提供することができる。
【００１０】
【発明の実施の形態】
以下、この発明の実施例を、図を参照しながら説明する。
図１および図２は、本発明の一実施例に係る扉錠１が設置された扉Ｄの構成を概略的に示す正面図および背面図、図３（Ａ）および（Ｂ）は、前記扉錠１の構成を概略的に示す説明図および縦断面図である。
前記扉Ｄは、例えば、玄関などに設けられる開閉式の扉であり、ヒンジ部材２，２などにより一端側が扉枠３に回動可能に枢支（枢着）されている。
【００１１】
そして、本実施例の扉錠１は、前記扉Ｄの他端側（回動端側）に設けられるのである。なお、前記扉Ｄの回動端側には、前記扉錠１の他に、扉Ｄの側方に突出するラッチボルト（図示せず）を扉Ｄ内へと後退させるためのレバーや握玉（ノブ）などからなる操作部材４が設けられている。
【００１２】
前記扉錠１は、図３（Ａ）および（Ｂ）に示すように、錠ケース５内に設けられたカム６の作動によりデッドボルト７を施錠位置または解錠位置に移動させるようにしてあり、また、前記カム６を作動させる室内側作動部材８を、カム６の回動軸６ａに設けた係合孔６ｂ内に係合させ、この室内側作動部材８を、図２に示すように、前記錠ケース５から離れた任意の位置に設置したサムターン９により伝達機構１０を介して作動させるようにしてある。
【００１３】
詳しくは、前記扉錠１は、例えば、いわゆる面付け錠タイプの構造を有しており、前記カム６を一方（図３（Ａ）では時計回り方向）に回動させると、この回動に伴って前記デッドボルト７が解錠位置にまで移動するのであり、カム６が他方（図３（Ａ）では反時計回り方向）に回動すると、この回動に伴って前記デッドボルト７が施錠位置にまで移動するのである。
【００１４】
そして、前記カム６の回動は、室内側からは前記室内側作動部材８をその軸まわりに回動させることによって、また、室外側からは室外側作動部材としてのシリンダ１１および鍵１２（図１参照）の回動操作によって、それぞれ行うことができる。
【００１５】
なお、前記シリンダ１１および鍵１２の回動操作は、シリンダ１１に設けられた鍵穴１１ａに鍵１２を挿入した状態で、鍵１２を回動させることにより行うことができる。
【００１６】
図４および図５は、解錠状態および施錠状態の前記扉錠１の要部の構成を概略的に示す説明図である。
前記室内側作動部材８およびサムターン９は、それぞれその軸まわりに回動可能であるとともに、ピニオン８ａ，９ａを有している一方、前記伝達機構１０は、前記２つのピニオン８ａ，９ａと噛み合うスライド自在な一対のラック１０ａ，１０ａを備え、例えば、前記一対のラック１０ａ，１０ａを図示しないケース内に収容した状態としてある。
【００１７】
上記の構成からなる扉錠１では、図４に示すように、前記サムターン９を一方（図４では時計回り方向）に回動させると、この回動がラック１０ａ，１０ａにより前記室内側作動部材８に伝達され、この伝達に伴って、前記カム６が一方（図３（Ａ）では時計回り方向）に回動し、前記デッドボルト７が解錠位置にまで移動した状態となる。
【００１８】
反対に、図５に示すように、前記サムターン９を他方（図５では反時計回り方向）に回動させると、この回動がラック１０ａ，１０ａにより前記室内側作動部材８に伝達され、この伝達に伴って、前記カム６が他方（図３（Ａ）では反時計回り方向）に回動し、前記デッドボルト７が施錠位置にまで移動した状態となる。
【００１９】
そして、上記ラック１０ａ，１０ａの長さを変化させることで、サムターン９の錠ケース５からの距離を調節することができ、これにより、サムターン９を錠ケース５から上下方向および／または左右方向に離れた任意の位置に設置できる。
【００２０】
上記の構成からなる扉錠１によれば、前記サムターン９を錠ケース５から離れた任意の位置に設置できるため、近年増加してきたサムターン回しと呼ばれる犯罪を容易に防止することができる。
【００２１】
すなわち、一般的に、扉Ｄの裏側（内側）に設けられるサムターン９は、扉Ｄの表側（外側）に露出しているシリンダ１１の真裏に相当する位置にあることが多く、加えて、錠前のメーカー・種類を判別することによっても、扉Ｄの表側（外側）から扉Ｄの裏側（内側）にあるサムターン９の位置を判断でき、このようにサムターン９の位置を判断できることを利用して前記サムターン回しが行われるのであるが、本実施例の扉錠１によれば、前記サムターン９の設置位置を自在に設定できるため、サムターン９の設置位置を従来の設置位置とは違う場所に移すことにより、扉Ｄの外側からのサムターン９の位置の判断を意図的に誤らせることができ、サムターン回しを防止できるのである。
【００２２】
そして、前記サムターン９を設ける位置は、例えば、図２に示すように、扉Ｄの室内側における錠ケース５の上方でもよいし、図２において破線で示すように、扉Ｄの室内側における錠ケース５の側方でもよいし、その他、扉Ｄの室内側における様々な場所にサムターン９を設置することが可能である。
【００２３】
なお、上記実施例では、伝達機構１０が一対のラック１０ａ，１０ａを備えていたが、このような構成に限るものではなく、例えば、前記伝達機構１０が片方のラック１０ａのみを備えていてもよい。また、ラック１０ａに代えて、ベルトやチェーンなど、前記ピニオン８ａ，９ａ間の力の伝達を可能とする部品を用いてもよいことはいうまでもない。
【００２４】
また、本発明の扉錠１は、所謂回動式の扉（一端側が扉枠３に枢支された扉）用の扉錠としてだけでなく、所謂引戸用の錠としても使用できる。
【００２５】
また、上記実施例では、扉錠１がいわゆる面付け錠タイプの構造を有しているが、このような構成に限るものではなく、例えば、図６に示すように、扉錠１がいわゆる彫り込み錠タイプの構造を有していてもよい。
【００２６】
さらに、上記実施例では、室内側作動部材８とサムターン９とを、ラック１０ａを備えた前記伝達機構１０により連動させているが、このような構成に限るものではなく、例えば、図７に示すように、伝達機構１０を、外管１３内にインナーワイヤー（図示せず）をスライド可能に収容してなるフレキシブルコードから構成し、このフレキシブルコードによって、室内側作動部材８とサムターン９とを連動させるようにしてもよい。
【００２７】
前記伝達機構１０を前記フレキシブルコードにより構成した場合にも、前記サムターン９を錠ケース５から離れた任意の位置に設置できるため、近年増加してきたサムターン回しと呼ばれる犯罪を容易に防止することができる。さらに、サムターン９の設置位置の選択肢を広げることができ、例えば、扉Ｄではなく壁などに設けることも可能となり、さらには、施解錠を扉Ｄから離れた場所（例えば、リビングや寝室など）で行うことも可能となる。
【００２８】
また、前記扉錠１を、電気錠システムに適用することも可能である。詳しくは、一般的な電気錠システムでは、図８（Ａ）に示すように、扉Ｄから離れた場所に設置された制御盤１４と前記扉Ｄに設けられた電気錠本体１５とをコード１６によって接続する際に、前記扉Ｄに通電金具１７を設ける必要がある。なお、図８（Ａ）中において、１８は室内操作プレート、１９はテンキーまたはカードリーダーである。
【００２９】
しかし、前記扉錠１を電気錠システムに適用した場合には、図８（Ｂ）に示すように、前記サムターン９を扉Ｄではなく、壁などの扉Ｄから離れた場所に設置して、このサムターン９を前記制御盤１４からの制御によって操作できるように構成することにより、前記通電金具１７を不要とすることができ、ひいては電気錠システムの設置を低コストで行えるようにすることが可能となる。
【００３０】
【発明の効果】
以上説明したような構成からなる本発明では、前記サムターン９を錠ケース５から離れた任意の位置に設置できるため、近年増加してきたサムターン回しと呼ばれる犯罪を容易に防止することができる扉錠を提供することが可能となる。
【００３１】
すなわち、一般的に、扉Ｄの裏側（内側）に設けられるサムターン９は、扉Ｄの表側（外側）に露出しているシリンダ１１の真裏に相当する位置にあることが多く、加えて、錠前のメーカー・種類を判別することによっても、扉Ｄの表側（外側）から扉Ｄの裏側（内側）にあるサムターン９の位置を判断でき、このようにサムターン９の位置を判断できることを利用して前記サムターン回しが行われるのであるが、本実施例の扉錠１によれば、前記サムターン９の設置位置を自在に設定できるため、サムターン９の設置位置を従来の設置位置とは違う場所に移すことにより、扉Ｄの外側からのサムターン９の位置の判断を意図的に誤らせることができ、サムターン回しを防止できるのである。
【００３２】
また、前記伝達機構１０を前記フレキシブルコードにより構成すれば、さらに、サムターン９の設置位置の選択肢を広げることができ、例えば、扉Ｄではなく壁などに設けることも可能となり、さらには、施解錠を扉Ｄから離れた場所（例えば、リビングや寝室など）で行うことも可能となる。
【００３３】
また、前記扉錠１を電気錠システムに適用した場合には、前記サムターン９を扉Ｄではなく、壁などの扉Ｄから離れた場所に設置して、このサムターン９を前記制御盤１４からの制御によって操作できるように構成することにより、前記通電金具１７を不要とすることができ、ひいては電気錠システムの設置を低コストで行えるようにすることが可能となる。
【図面の簡単な説明】
【図１】本発明の一実施例に係る扉錠が設置された扉の構成を概略的に示す正面図であり、従来の扉錠が設置されていた扉の構成を概略的に示す正面図でもある。
【図２】前記扉の構成を概略的に示す背面図である。
【図３】（Ａ）および（Ｂ）は、前記扉錠の構成を概略的に示す説明図および縦断面図である。
【図４】解錠状態の前記扉錠の要部の構成を概略的に示す説明図である。
【図５】施錠状態の前記扉錠の要部の構成を概略的に示す説明図である。
【図６】前記扉錠の変形例の構成を概略的に示す説明図である。
【図７】上記実施例における伝達機構の変形例の構成を概略的に示す斜視図である。
【図８】（Ａ）は、従来の電気錠システムの構成を概略的に示す説明図、（Ｂ）は、前記扉錠を適用した電気錠システムの構成を概略的に示す説明図である。
【図９】従来の扉錠が設置された扉の構成を概略的に示す背面図である。
【図１０】（Ａ），（Ｂ）および（Ｃ）は、従来の扉錠の構成を概略的に示す正面図，縦断面図および背面図である。
【符号の説明】
１…扉錠、５…錠ケース、６…カム、７…デッドボルト、８…室内側作動部材、９…サムターン、１０…伝達機構、Ｄ…扉。
【図１】
2004176257.tif 000003
【図２】
2004176257.tif 000004
【図３】
2004176257.tif 000005
【図４】
2004176257.tif 000006
【図５】
2004176257.tif 000007
【図６】
2004176257.tif 000008
【図７】
2004176257.tif 000009
【図８】
2004176257.tif 000010
【図９】
2004176257.tif 000011
【図１０】
2004176257.tif 000012